(57)【要約】  フィルタ清掃装置（２０）は、フィルタ（２１）に付着した埃（Ｄ）を清掃する。フィルタ清掃装置（２０）は、フィルタ（２１）の表面上の塵埃を除去する前面ブラシ（２３）（埃取り部材）と、前面ブラシ（２３）に沿うようにフィルタ（２１）を移動させるフィルタ駆動ギア（２４）（フィルタ駆動部）と、フィルタ（２１）を間に挟んで前面ブラシ（２３）と対向する位置に配置され、フィルタ（２１）の移動に連動して回転する背面ローラ（４１）（回転部材）とを備えている。
2018047365.tif 000002
【特許請求の範囲】
【請求項１】
フィルタに付着した埃を清掃するフィルタ清掃装置であって、
フィルタの表面上の塵埃を除去する埃取り部材と、
前記埃取り部材に沿うように前記フィルタを移動させるフィルタ駆動部と、
前記フィルタを間に挟んで前記埃取り部材と対向する位置に配置され、前記フィルタの移動に連動して回転する回転部材と
を備えている、フィルタ清掃装置。
【請求項２】
前記フィルタには、前記フィルタの移動方向に沿って複数の突起部が形成され、
前記フィルタ駆動部は、前記突起部と噛み合う回転ギアを有しており、
前記回転部材の径は、前記回転ギアの径よりも小さくなっている、
請求項１に記載のフィルタ清掃装置。
【請求項３】
側面視において、前記回転ギアの内側に前記回転部材が位置している、請求項２に記載のフィルタ清掃装置。
【請求項４】
前記フィルタには、前記フィルタの移動方向に沿って複数の突起部が形成されており、
前記回転部材は、前記突起部と噛み合うギアを有している、
請求項１から３の何れか１項に記載のフィルタ清掃装置。
【請求項５】
前記回転部材の表面には、ブラシが設けられている、請求項１から４の何れか１項に記載のフィルタ清掃装置。
【請求項６】
前記回転部材の表面に設けられたブラシと前記フィルタの裏面とが接触することによって、前記回転部材は回転する、請求項５に記載のフィルタ清掃装置。
【発明の詳細な説明】
【技術分野】
【０００１】
本発明は、空気調和機などに備えられ、フィルタ上に付着した埃を除去するフィルタ清掃装置に関する。
【背景技術】
【０００２】
空気調和機には、室内機の空気吸入口に、吸い込む空気に含まれている埃を除去するためのフィルタが備えられている。従来の空気調和機においては、フィルタに付着した埃の清掃は、手動によって行われていた。すなわち、人手によりフィルタを室内機から外して、手動でフィルタを清掃する必要があった。【０００３】
しかし、室内機の設置箇所によってはフィルタを外す作業が困難であり、特に室内機が高所に設置されている場合には、フィルタの清掃は非常に手間のかかる作業である。そのため、昨今の空気調和機には、フィルタを外すことなく、装置内で自動的にフィルタを清掃する機能を備えているものもある。【０００４】
例えば、特許文献１には、フィルタに付着した塵埃を自動的に除去するフィルタ清掃機構付きの空調室内機が開示されている。特許文献１に記載の空調室内機（２）は、フィルタ（２１）を搬送させながら前記フィルタ（２１）に付着した塵埃を除去する。この空調室内機（２）は、前記フィルタ（２１）の網目に入り込む複数の細線部材（４１１ａ）を有し、回転時に前記網目と前記細線部材（４１１ａ）との噛み合いによって前記フィルタ（２１）を搬送するローラー（４１）と、前記フィルタ（２１）を挟んで前記ローラー（４１）と対峙する位置に配備されるブラシ（６１）と、を備え、前記細線部材（４１１ａ）は、前記ローラー（４１）から径に対して所定方向に傾いて突出しており、前記ブラシ（６１）は、前記細線部材（４１１ａ）を起こす方向と逆の方向に回転する。
【先行技術文献】
【特許文献】
【０００５】
【特許文献１】特開２０１１−８０６３６号公報
【発明の概要】
【発明が解決しようとする課題】
【０００６】
上述の特許文献１のように、フィルタの自動清掃機能を備えている空気調和機には、フィルタを間に挟んでブラシと対向する位置に、フィルタを押さえるための回転部材（例えば、特許文献１のローラー４１）が設けられている。この回転部材は、軸方向に長い円筒状に形成され、室内側熱交換器の前方に配置される。また、この回転部材には、円筒形状の長手方向の少なくとも一方の端部に、フィルタを搬送させるためのギア（例えば、特許文献１のローラーギア３２）が設けられている。【０００７】
そして、フィルタを間に挟んでブラシと対向する位置に配置された回転部材は、一般的に、フィルタを搬送させるためのギアと同軸上で回転する。そのため、回転部材の径は、ブラシの方へフィルタを押し出すために、ギアと略同一径となっている。【０００８】
しかしながら、このような回転部材を設けることによって、室内側熱交換器への空気通路が塞がれることになる。すなわち、フィルタ清掃装置（特に、回転部材）が空気吸入口から室内側熱交換器に至る空気通路を狭めてしまうことになる。空気通路が狭くなることにより、空気調和機の性能低下につながる可能性が高くなる。【０００９】
そこで、本発明では、空気通路が狭くなることを低減したフィルタ清掃装置を提供することを目的とする。
【課題を解決するための手段】
【００１０】
本発明の一局面にかかるフィルタ清掃装置は、フィルタに付着した埃を清掃するフィルタ清掃装置であって、フィルタの表面上の塵埃を除去する埃取り部材と、前記埃取り部材に沿うように前記フィルタを移動させるフィルタ駆動部と、前記フィルタを間に挟んで前記埃取り部材と対向する位置に配置され、前記フィルタの移動に連動して回転する回転部材とを備えている。【００１１】
上記の本発明の一局面にかかるフィルタ清掃装置において、前記フィルタには、前記フィルタの移動方向に沿って複数の突起部が形成され、前記フィルタ駆動部は、前記突起部と噛み合う回転ギアを有しており、前記回転部材の径は、前記回転ギアの径よりも小さくなっていてもよい。【００１２】
上記の本発明の一局面にかかるフィルタ清掃装置では、側面視において、前記回転ギアの内側に前記回転部材が位置していてもよい。【００１３】
上記の本発明の一局面にかかるフィルタ清掃装置において、前記フィルタには、前記フィルタの移動方向に沿って複数の突起部が形成されており、前記回転部材は、前記突起部と噛み合うギアを有していてもよい。なお、前記回転部材のギアと噛み合う前記突起部は、前記フィルタ駆動部の回転ギアと噛み合う前記突起部と、同一の部材であってもよいし、別の部材であってもよい。【００１４】
上記の本発明の一局面にかかるフィルタ清掃装置において、前記回転部材の表面には、ブラシが設けられていてもよい。【００１５】
上記の本発明の一局面にかかるフィルタ清掃装置では、前記回転部材の表面に設けられたブラシと前記フィルタの裏面とが接触することによって、前記回転部材は回転してもよい。
【発明の効果】
【００１６】
本発明の一局面によれば、フィルタを通して外部の空気を取り込む空気調和機の空気通路が狭くなることを低減することができる。
【図面の簡単な説明】
【００１７】
【図１】本発明の一実施形態にかかる空気調和機の室内機の外観を示す斜視図である。
【図２】図１に示す室内機の前面パネルを開けた状態を示す斜視図である。
【図３】図１に示す室内機の内部構成を示す断面図である。この図では、フィルタ駆動部の回転ギア配置部分の断面構成を示す。
【図４】図１に示す室内機に備えられたフィルタ及びフィルタ清掃装置を示す斜視図である。
【図５】図４に示すフィルタ清掃装置において、ダストボックスの一つを取り外した状態を示す斜視図である。
【図６】図４に示すフィルタ清掃装置のフィルタ支持体部分を示す斜視図である。
【図７】図１に示す室内機の一部分の内部構成を示す断面図である。この図では、背面ローラの取り付け部分の断面構成を示す。
【図８】図６に示すフィルタ支持体の左側を示す正面図である。
【図９】（ａ）は、図４に示すフィルタおよびフィルタ清掃装置の断面構成を模式的に示す図である。（ｂ）は、フィルタ駆動ギアと背面ローラの回転ギアと位置関係を示す模式図である。
【図１０】第１の実施形態にかかる室内機に備えられたフィルタの構成を示す斜視図である。
【図１１】第１の実施形態にかかる室内機に備えられたフィルタの構成を示す平面図である。
【図１２】第２の実施形態にかかる室内機に備えられたフィルタ清掃装置のフィルタ支持体部分の左側を示す斜視図である。
【図１３】第２の実施形態にかかる室内機に備えられたフィルタの構成を示す斜視図である。
【図１４】第２の実施形態にかかる室内機に備えられたフィルタの構成を示す平面図である。
【図１５】第３の実施形態にかかる室内機に備えられたフィルタ清掃装置のフィルタ支持体部分の左側を示す斜視図である。
【図１６】第３の実施形態にかかる室内機に備えられたフィルタの構成を示す斜視図である。
【発明を実施するための形態】
【００１８】
以下、図面を参照しつつ、本発明の実施の形態について説明する。以下の説明では、同一の部品には同一の符号を付してある。それらの名称および機能も同じである。したがって、それらについての詳細な説明は繰り返さない。
〔第１の実施形態〕
【００１９】
第１の実施形態では、フィルタを自動で清掃するためのフィルタ清掃装置を内蔵している空気調和機を例に挙げて説明する。図１は、本実施の形態に係る空気調和機の室内機１の外観構成を示す。図２には、室内機１の前面パネル１１を開けた状態を示す。図３には、室内機１の内部の構成を示す。
【００２０】
＜空気調和機の全体構成＞
先ず、本実施の形態にかかる空気調和機の全体構成について説明する。本実施の形態にかかる空気調和機は、セパレート式の空気調和機であって、主として、室内機１と室外機（図示せず）とから構成されている。
【００２１】
室外機には、圧縮機、室外側熱交換器、四方弁、室外ファンなどが備えられている。これらと室内機１側に備えられた室内側熱交換器３１（図３参照）とによって冷凍サイクルが形成される。
【００２２】
次に、室内機１の構成について、図１、図２および図３を用いて説明する。図１に示すように、室内機１は、略直方体状の形状を有しており、通常、部屋の壁の上部に掛けられて使用される。上述したように、室内機１内には室内側熱交換器３１が備えられている。この室内側熱交換器３１は、冷媒配管（図示せず）を介して室外機側の圧縮機などと接続されている。これにより、この室内機１と室外機とは、冷凍サイクルを構成し、その結果、空気調和機として機能する。なお、冷凍サイクルを制御する制御部は、室内機１内の電装品ユニットに設けられる。
【００２３】
図３に示すように、室内機１は、主として、筐体１０、フィルタ清掃装置２０、フィルタ２１、空気調和ユニット３０、および電装品ユニット（図示せず）などを備えている。以下、これらの各構成部材についてそれぞれ詳述する。
【００２４】
筐体１０は、略直方体状の樹脂成形品である。図１に示すように、筐体１０は、主として、前面パネル１１、本体パネル１２、および背面パネル１３で構成されている。図３に示すように、筐体１０の内部には、フィルタ清掃装置２０、フィルタ２１、空気調和ユニット３０、および電装品ユニットなどが収容されている。
【００２５】
なお、説明の便宜上、前面パネル１１が配置されている側を室内機１の前面側とし、背面パネル１３が配置されている側を室内機１の背面側とする。そして、室内機１の前面側から背面側、または背面側から前面側へ向かう方向のことを、前後方向という。また、室内機１の通常の設置状態において、上方から下方または下方から上方へ向かう方向のことを、上下方向または鉛直方向という。また、この上下方向に交差または直交する方向のことを、水平方向または左右方向という。
【００２６】
筐体１０の上面には、吸込み口１４が設けられている。この吸込み口１４から、室内機１が設置されている室内の空気が室内機１内に取り込まれる。そして、図３に示すように、この吸込み口１４の真下には、フィルタ２１が配置されている。
【００２７】
前面パネル１１は、筐体１０の前面（正面）に位置する。前面パネル１１は、本体パネル１２に対して開閉可能に取り付けられている。図２には、前面パネル１１が開いている状態を示す。図２に示すように、前面パネル１１の裏面側には、フィルタ清掃装置２０のダストボックス２２Ｒ・２２Ｌが配置されている。
【００２８】
また、本体パネル１２の下部には、吸込み口から吸い込んだ空気を送出する吹出口が設けられており、吹出口にフラップ１５が開閉可能に設けられている。フラップ１５には、駆動モータ（図示せず）が連結されている。駆動モータは、信号線を介して電装品ユニットに通信接続されており、空気調和機の運転中、電装品ユニット内の制御部からの制御信号に従ってフラップ１５の回動角度を調節する。
【００２９】
例えば、冷房運転時には、電装品ユニット内の制御部は、フラップ１５を開け、フラップ１５が冷風を斜め上方向に導き、冷風が天井に沿って吹き出すように、フラップ１５の回動角度を調節する。暖房運転時には、電装品ユニット内の制御部は、フラップ１５を開け、フラップ１５が前方に向かって吹き出される温風を押さえ込み、温風を床面方向に導くように、フラップ１５の回動角度を調節する。なお、冷房運転の初期時には、冷風が床面方向に吹き出されるようにフラップ１５の回動角度を調節し、急速冷房を行ってもよい。また、フラップ１５は、運転停止時には閉状態となって、吹出し口を閉じる。
【００３０】
空気調和ユニット３０は、図３に示すように、主として、室内側熱交換器３１、およびクロスフローファン３２を備えている。
【００３１】
室内側熱交換器３１は、複数の熱交換器を、クロスフローファン３２を覆う屋根（逆Ｖ字状）のように組み合わせたものである。なお、各熱交換器は、左右両端で複数回折り返された伝熱管（図示せず）に多数の放熱フィン（図示せず）が取り付けられたものであって、冷房運転時には蒸発器として機能し、暖房運転時には凝縮器として機能する。
【００３２】
クロスフローファン３２は、駆動モータ（図示せず）に連結されている。そして、クロスフローファン３２は、空気調和機の運転中、その駆動モータによって回転駆動され、室内の空気を筐体１０に吸い込んで室内側熱交換器３１に供給すると共に、室内側熱交換器３１で熱交換された空気を室内に送出する。なお、駆動モータは、信号線を介して電装品ユニットに通信接続されており、電装品ユニット内の制御部から送信される制御信号に従って動作する。
【００３３】
電装品ユニットは、例えば、筐体１０内の右側端部に配置される。電装品ユニットは、中央処理演算部（制御部）、信号送受信部などで構成されている。電装品ユニットは、信号線を介して、冷凍サイクルの各構成部材と接続されている。そして、電装ユニット内の制御部は、使用者の指示、および室温や外気温を検出する温度センサ等の各種センサの検出信号に基づいて、冷凍サイクルを制御し、冷房運転および暖房運転を行う。
【００３４】
また、電装品ユニットは、信号線を介して、クロスフローファン３２の駆動モータ、フラップ１５の駆動モータ、フィルタ清掃装置２０の駆動モータ、フィルタ清掃装置２０内の各部材の電源部などとも接続されている。
【００３５】
フィルタ２１は、吸込み口１４と室内側熱交換器３１との間に設けられている。説明の便宜上、吸込み口１４と対向しているフィルタ２１の面を表面とし、室内側熱交換器３１と対向しているフィルタ２１の面をフィルタの裏面とする。図３に示すように、フィルタ２１は、筐体１０に設けられた吸込み口１４の形状に沿うように配置されている。フィルタ２１は、吸込み口１４から室内機１の内部に取り込まれる空気に含まれる埃や塵を捕捉する。これにより、室内機１の内部に取り込まれる空気中の埃や塵の量を減らすことができる。
【００３６】
本実施形態にかかる室内機１には、２つのフィルタ２１が、左右に並んで配置されている（図４参照）。右側および左側のフィルタをそれぞれ区別して説明する場合には、左側フィルタを２１Ｌとし、右側フィルタを２１Ｒとする。なお、本発明の一態様の空気調和機におけるフィルタの個数及び配置は、これに限定はされない。例えば、吸込み口１４の全領域をカバーするような１枚のフィルタで構成してもよい。
【００３７】
フィルタ清掃装置２０は、フィルタ２１上に付着した埃や塵などを除去する装置である。フィルタ清掃装置２０には、矩形の板状を有するフィルタ２１が、フィルタ清掃装置２０の形状に沿うように取り付けられている。フィルタ清掃装置２０には、フィルタ２１上に付着した埃、塵、ゴミなどを収容するダストボックス２２が備えられている。ダストボックス２２は、各フィルタ２１に対してそれぞれ設けられている。すなわち、本実施形態の室内機１には、右側のフィルタ２１Ｒと左側のフィルタ２１Ｌのそれぞれに対して、ダストボックス２２が１個ずつ設けられている。なお、左右のダストボックスを区別して称する場合には、右側ダストボックスを２２Ｒとし、左側ダストボックスを２２Ｌと呼ぶ（図２、図４など参照）。
【００３８】
＜フィルタ清掃装置について＞
続いて、室内機１に備えられているフィルタ２１およびフィルタ清掃装置２０のより具体的な構成について、図４から図１１を参照しながら説明する。
【００３９】
図４には、フィルタ清掃装置２０の全体構成（フィルタ２１Ｒおよび２１Ｌを含む）を示す。図５には、フィルタ清掃装置２０の本体部分から右側のダストボックス２２Ｒを取り外した状態を示す。図６には、フィルタ清掃装置２０のフィルタ支持体２５を示す。図７には、フィルタ清掃装置２０を構成する前面ブラシ２３、フィルタ駆動ギア２４、および背面ローラ４１などのより具体的な構成を示す。図８には、フィルタ駆動ギア２４、および背面ローラ４１のより具体的な構成を示す。図９（ａ）には、フィルタ２１上の埃を前面ブラシ２３によって掻き落とす様子を示す。図９（ｂ）には、フィルタ駆動ギア（フィルタ駆動部）２４および背面ローラ４１（回転部材）の回転ギア４１ａを示す。
【００４０】
フィルタ清掃装置２０は、主として、フィルタ２１の前面側に配置されている。空気調和機が空調運転を行っている状態では、図３および図４などに示すように、フィルタ２１は、その前方側の端部部分のみがフィルタ清掃装置２０と重なるような位置関係で配置されている。そして、フィルタ清掃装置２０によってフィルタ２１の清掃が行われる際には、フィルタ２１は駆動モータ２４Ｍによって駆動されて移動し、フィルタ２１の表面全体がフィルタ清掃装置２０の前面ブラシ２３上を通過するように構成されている。
【００４１】
フィルタ２１は、メッシュ部５１と、メッシュ部５１の周囲を取り囲む枠体（枠部）５２とで構成されている。図１０および図１１には、フィルタ２１のより具体的な構成を示す。
【００４２】
図１０および図１１に示すように、枠体５２は、縦方向（移動方向に平行な方向）の枠部分である縦枠５２Ｖと、横方向（移動方向に交差する方向）の枠部分である横枠５２Ｈとからなる。フィルタ２１は、後述するフィルタ支持体２５に着脱可能に支持されている。
【００４３】
メッシュ部５１は、例えば、ポリエチレンテレフタレートで網目状に形成され、枠体５２は、例えば、ポリプロピレン樹脂などの合成樹脂で形成される。またあるいは、メッシュ部５１と枠体５２とは、ポリプロピレン樹脂等の合成樹脂により一体的に成形されてもよい。
【００４４】
また、枠体５２は、複数のリブ５３を有している。各リブ５３は、枠体５２の内部を縦または横に略等間隔に延びており、これにより、メッシュ部５１の表面は碁盤目状に区画される。この構成により、フィルタ２１の強度が高まる。
【００４５】
リブ５３は、フィルタ２１の裏面側に設けられていることが好ましい。これにより、メッシュ部５１の表面を、略面一とすることができる。フィルタ２１の表面が略面一であることによって、フィルタ２１の表面に付着した埃や塵などを、フィルタ清掃装置２０によってより容易に取り除くことができる。
【００４６】
また、本実施形態では、枠体５２の縦枠５２Ｖの裏面側に、複数のラック（突起部）５４が形成されている。このようなラック５４は、フィルタ２１の移動を駆動するフィルタ駆動ギア２４と噛み合う。そして、駆動モータ２４Ｍによってフィルタ駆動ギア２４が回転駆動されると、これに連動して、フィルタ２１がフィルタ支持体２５のガイド２５ａ（図３など参照）に沿って移動する。すなわち、駆動モータ２４Ｍによってフィルタ駆動ギア２４が回転駆動されると、フィルタ２１がフィルタ支持体２５のガイド２５ａに沿って、室内機１内を前後方向に移動するとともに、室内機１内を上下方向に移動する。
【００４７】
次に、フィルタ清掃装置２０の構成について説明する。図３に示すように、フィルタ清掃装置２０は、主な構成部材として、ダストボックス２２、前面ブラシ（埃取り部材）２３、フィルタ駆動ギア２４、背面ローラ（回転部材）４１（図５参照）、およびフィルタ支持体２５などを備えている。
【００４８】
ダストボックス２２は、前面ブラシ２３によってフィルタ２１表面から除去された埃、塵、ゴミなどを、その内部に集積させる。ダストボックス２２は、フィルタ２１の表面側の前方部に、配置されている。そして、ダストボックス２２（具体的には、右側のダストボックス２２Ｒと左側のダストボックス２２Ｌ）は、フィルタ２１の左右方向（水平方向）に沿って、フィルタ２１の一端部から他端部に延びるように配置されている（図４参照）。
【００４９】
ダストボックス２２は、フィルタ清掃装置２０に対して、取り外し可能に取り付けられている。具体的には、図５に示すように、ダストボックス２２は、フィルタ清掃装置２０のフィルタ支持体２５のダストボックス収容部２９に配置される。なお、ダストボックス２２には、ダストボックス２２を室内機１に対して固定させるためのロック機構（図示せず）が設けられている。そして、例えば、ダストボックス２２の上方中央部に設けられたロック解除レバー７１を、下方に下ろすことで、ロック機構のロックを解除することができる。これにより、使用者は、例えば、ダストボックス２２内の集積された埃を捨てる場合などに、ダストボックス２２を室内機１の本体部分から取り外すことができる。
【００５０】
前面ブラシ２３は、細長い円筒形状（円柱形状）を有している。前面ブラシ２３は、ダストボックス２２の左右方向（水平方向）に沿って、各ダストボックス２２（２２Ｒおよび２２Ｌ）の一端部から他端部に延びるように配置されている。
【００５１】
前面ブラシ２３は、その先端（または表面）がフィルタ２１の表面と接触するように配置され、フィルタ２１上に付着した埃Ｄを掻き取る（図９（ａ）参照）。前面ブラシ２３は、例えば、適度な剛性を有する繊維（例えば、ナイロンなどの合成繊維、動物毛などの天然繊維）を複数本束ねて得られるブラシ毛２３ａ（図９（ａ）参照）、パイル状に起毛させた繊維（例えば、ナイロンなどの合成繊維、動物毛などの天然繊維）などで形成することができる。
【００５２】
また、前面ブラシ２３は、内部に回転するローラを有している。言い換えると、回転するローラの表面に前面ブラシ２３を構成するブラシ毛が埋め込まれている。そのため、ローラの回転に合わせて、ローラの表面に位置する前面ブラシ２３も回転する。ローラは、駆動モータ２３Ｍによって駆動される。駆動モータ２３Ｍは、正転のみ可能なモータであって、清掃運転中、前面ブラシ２３を矢印Ｒ１方向に回転させ続ける（図９（ａ）参照）。
【００５３】
フィルタ駆動ギア２４は、フィルタ２１を間に挟んで、前面ブラシ２３と対向する位置に配置されている（図９（ａ）参照）。図６および図８などに示すように、フィルタ駆動ギア２４は、シャフト部２４ａとギア部（回転ギア）２４ｂとで構成されている。
【００５４】
シャフト部２４ａは、フィルタ支持体２５に取り付けられており、フィルタ２１の左右方向（水平方向）に沿って配置されている（図６参照）。具体的には、右側フィルタ２１Ｒ側のシャフト部２４ａは、フィルタ支持体２５の右側壁部２６から中央壁部２７にまで延びている。また、左側フィルタ２１Ｌ側のシャフト部２４ａは、フィルタ支持体２５の中央壁部２７から左側壁部２８にまで延びている。シャフト部２４ａは、駆動モータ２４Ｍによって駆動される。これにより、フィルタ駆動ギア２４は回転する。
【００５５】
シャフト部２４ａの両端部には、ギア部２４ｂが設けられている。駆動モータ２４Ｍによって回転するシャフト部２４ａに連動して、ギア部２４ｂも回転する。ギア部２４ｂは、フィルタ２１の縦枠５２Ｖに設けられた複数のラック（突起部）５４と対向するように配置されている。すなわち、フィルタ２１の各ラック５４は、フィルタ駆動ギア２４のギア部２４ｂの各歯と噛み合う。これにより、駆動モータ２４Ｍによってフィルタ駆動ギア２４が回転駆動されると、これに連動して、フィルタ２１がフィルタ支持体２５のガイド２５ａに沿って移動する。
【００５６】
駆動モータ２４Ｍは、正転・逆転切り換え可能なモータであって、上述の通り、フィルタ駆動ギア２４を回転させることによって、フィルタ２１をフィルタ支持体２５のガイド２５ａに沿って移動させる。なお、具体的には、駆動モータ２４Ｍが正転されると、フィルタ２１は、ガイド２５ａに沿って前方および下方に移動する（図９（ａ）の矢印Ｍ方向）。その結果、フィルタ２１上に堆積している塵埃が下から順に前面ブラシ２３によってダストボックス２２内に掻き落とされる（図９（ａ）参照）。一方、駆動モータ２４Ｍが逆転されると、フィルタ２１は、ガイド２５ａに沿って後方および上方に移動する。その結果、清掃済みのフィルタ２１が規定の位置に戻される。
【００５７】
背面ローラ４１は、フィルタ２１を間に挟んで前面ブラシ２３と対向する位置に配置されている（図９（ａ）参照）。例えば、背面ローラ４１は、フィルタ駆動ギア２４のシャフト部２４ａの前方側の斜め下方に配置されている。背面ローラ４１は、細長い円筒形状（円柱形状）を有している。背面ローラ４１は、フィルタ２１の左右方向（水平方向）に沿って、フィルタ２１の一端部側から他端部側に延びるように配置されている。なお、背面ローラ４１は、フィルタ駆動ギア２４のギア部２４ｂの内側に配置されている。
【００５８】
背面ローラ４１は、長手方向の両端部にギア４１ａを有している。本実施形態では、背面ローラ４１は、フィルタ２１によって回転駆動される。すなわち、背面ローラ４１は、フィルタ２１の移動に連動して回転する。具体的には、背面ローラ４１の両端に設けられたギア４１ａが、フィルタ２１の縦枠５２Ｖに形成されたラック５４と噛み合うことで、フィルタ２１の移動に連動して背面ローラ４１が回転する。
【００５９】
なお、ラック５４は、フィルタ駆動ギア２４のギア部２４ｂとも噛み合う。そのため、ラック５４は、フィルタ駆動ギア２４のギア部２４ｂと背面ローラ４１のギア４１ａとかみ合うために必要な幅（例えば、図１１などの幅Ｗ１）を有している。そして、上述したように、フィルタ２１は、フィルタ駆動ギア２４によって駆動されて移動する。すなわち、フィルタ駆動ギア２４の回転に合わせてラック５４が上下および前後方向に送られる。これにより、ラック５４と噛み合うもう一つのギア（すなわち、背面ローラ４１のギア４１ａ）も回転する。なお、ラック５４は、フィルタ駆動ギア２４のギア部２４ｂとかみ合う部分Ａと背面ローラ４１のギア４１ａとかみ合う部分Ｂとに分け、部分Ａと部分Ｂとの間に隙間を設けてもよい（図１１参照）。
【００６０】
フィルタ支持体２５は、フィルタ２１を支持している。フィルタ支持体２５には、フィルタ清掃時に、フィルタ２１の移動を案内するガイド２５ａが備えられている。ガイド２５ａは、駆動モータ２４Ｍによってフィルタ２１を移動させる際において、フィルタ２１を規定の方向に沿って移動させるために形成されている。
【００６１】
また、フィルタ支持体２５は、右側壁部２６、中央壁部２７、および左側壁部２８を有している。
【００６２】
右側壁部２６は、フィルタ支持体２５の右側縁部において前後方向に延びる側壁である。この右側壁部２６の左側すなわち内側には、ガイド２５ａが配置されている。また、図４に示すように、右側壁部２６には、駆動モータ２３Ｍ、右側のフィルタ２１Ｒの移動を駆動する駆動モータ２４Ｍ、およびその他のフィルタ清掃装置駆動用の部材を搭載した駆動ユニット６０が設けられている。
【００６３】
左側壁部２８は、フィルタ支持体２５の左側縁部において前後方向に延びる側壁である。この左側壁部２８の右側すなわち内側には、ガイド２５ａが配置されている。また、図示はしていないが、左側壁部２８には、左側のフィルタ２１Ｌの移動を駆動する駆動モータ２４Ｍ、およびその他のフィルタ駆動用の部材を搭載した駆動ユニットが設けられている。なお、左側のダストボックス２２Ｌに配置される前面ブラシ２３の回転駆動は、右側壁部２６に設けられた駆動ユニット６０内の駆動モータ２３Ｍによって駆動される。この場合、駆動モータ２３Ｍの回転力は、右側のダストボックス２２Ｒに配置される前面ブラシ２３から、駆動ギアを介して、左側のダストボックス２２Ｌに配置される前面ブラシ２３に伝達される。
【００６４】
中央壁部２７は、フィルタ支持体２５の左右方向の略中央部において前後方向に延びる壁部である。そして、この中央壁部２７の両側には、ガイド２５ａがそれぞれ配置されている。なお、これらのガイド２５ａは、左側壁部２８のガイド２５ａおよび右側壁部２６のガイド２５ａと同一の形状を呈している。そして、左側のガイド２５ａは左側壁部２８のガイド２５ａと互いに対向し、右側のガイド２５ａは右側壁部２６のガイド２５ａと互いに対向している。すなわち、２つのフィルタ２１Ｒ・２１Ｌのうち一方（２１Ｌ）は中央壁部２７の左側のガイド２５ａと左側壁部２８のガイド２５ａとによって案内され、他方（２１Ｒ）は中央壁部２７の右側のガイド２５ａと右側壁部２６のガイド２５ａとによって案内されることになる。
【００６５】
また、フィルタ支持体２５には、その前面側の下部に、ダストボックス２２を載置するためのダストボックス収容部２９が設けられている。ダストボックス収容部２９は、右側壁部２６と中央壁部２７との間、および、左側壁部２８と中央壁部２７との間にそれぞれ設けられている。右側壁部２６と中央壁部２７との間のダストボックス収容部２９には、ダストボックス２２Ｒが載置され、左側壁部２８と中央壁部２７との間のダストボックス収容部２９には、ダストボックス２２Ｌが載置される。
【００６６】
＜背面ローラについて＞
続いて、背面ローラ４１のより具体的な構成について説明する。背面ローラ４１は、ギア４１ａ、ブラシ４１ｂ、および回転軸４１ｐなどを有している。
【００６７】
上述したように、ギア４１ａは、背面ローラ４１の両端部に位置する。そして、図８に示すように、ギア４１ａは、フィルタ駆動ギア２４のギア部２４ｂの内側に位置する。
【００６８】
ブラシ４１ｂは、背面ローラ４１の表面に設けられている。ブラシ４１ｂは、例えば、適度な剛性を有する繊維（例えば、ナイロンなどの合成繊維、動物毛などの天然繊維）を複数本束ねて得られるブラシ毛で形成されている（図９（ａ）参照）。ブラシ４１ｂは、前面ブラシ２３と同じ素材で形成してもよい。
【００６９】
背面ローラ４１の表面のブラシ４１ｂは、フィルタ２１の裏面と接触するように配置されている。そして、清掃運転中、フィルタ２１の移動に連動して背面ローラ４１は回転する。これにより、前面ブラシ２３と背面ローラ４１との間に配置されたフィルタ２１では、裏面側のブラシ４１ｂの作用によって、表面に付着している埃や塵などが、前方側へ押し出される。そのため、前面ブラシ２３によるフィルタ２１表面上での回転動作により、フィルタ２１上にある程度強力に付着している埃も掻き取ることができる。
【００７０】
回転軸４１ｐは、ブラシ４１ｂの内側に位置する。言い換えると、回転軸４１ｐの表面にブラシ４１ｂを構成するブラシ毛が埋め込まれている。回転軸４１ｐは、背面ローラ支持部４２に対して回転可能に取り付けられている。
【００７１】
なお、本実施形態では、上記のようにフィルタ２１の裏面側に配置される回転部材として、表面にブラシ４１ｂを有する背面ローラ４１を用いている。しかし、本発明の一態様においては、フィルタ２１の裏面側に配置する回転部材の表面には、ブラシが設けられていなくてもよい。
【００７２】
背面ローラ４１は、背面ローラ支持部４２によってフィルタ支持体２５に対して取り付けられている。背面ローラ支持部４２は、背面ローラ４１を、その両端部で支持している。図８に示すように、背面ローラ支持部４２は、フィルタ駆動ギア２４のギア部２４ｂと、背面ローラ４１のギア４１ａとの間に配置されている。図７には、背面ローラ支持部４２周辺の構成を示す。
【００７３】
図７に示すように、背面ローラ支持部４２は、フィルタ支持体２５に設けられたガイド２５ａに取り付けられている。そして、背面ローラ支持部４２は、ガイド２５ａの先端下方部から前方へ突出するように配置されている。背面ローラ４１の回転軸４１ｐは、背面ローラ支持部４２の先端部分に回転可能な状態で取り付けられている。
【００７４】
なお、図９（ａ）に示すように、背面ローラ４１の径（断面径）は、フィルタ駆動ギア２４のギア部２４ｂの径よりも小さくなっている。そのため、フィルタ駆動ギア２４と一体的に背面ローラが設けられている場合と比較して、背面ローラの容積を小さくすることができる。そのため、本実施形態の構成によれば、吸込み口１４から室内機１内に取り込まれる空気の通路における背面ローラ４１の専有容積を小さくすることができる。したがって、空気通路が狭くなることにより、空気調和機の吸込み抵抗が増加し、空気調和機の送風性能低下につながる可能性を低減させることができる。
【００７５】
また、本実施の形態では、背面ローラ４１の径（断面径）は、図７に示すようにフィルタ駆動ギア２４のギア部２４ｂの径の半分よりも小さくなっている。これにより、背面ローラ４１の本体部分（回転軸４１ｐ）がフィルタ駆動ギア２４のシャフト部２４ａに当たることを抑えることができる。なお、背面ローラ４１のブラシ毛の先端については、シャフト部２４ａにある程度当たってもよい。これに加え、側面視において、背面ローラ４１を、フィルタ駆動ギア２４のギア部２４ｂの内側に配置することができる。
【００７６】
また、背面ローラ４１の配置位置は、フィルタ２１を間に挟んで前面ブラシ２３と対向する位置であればよい。これにより、フィルタ２１に強固に付着した埃などを、背面ローラ４１によって前面ブラシ２３側へ押し出すことができる。
【００７７】
なお、図９（ａ）に示すように、フィルタ清掃装置２０を側面側から見た場合に（側面視において）、背面ローラ４１は、フィルタ駆動ギア２４のギア部２４ｂの内側に位置することが好ましい。ここで、「背面ローラが、フィルタ駆動ギアのギア部の内側に位置する」とは、側面視において、フィルタ駆動ギアのギア部の回転軌跡の内側（回転軌跡の範囲内）に背面ローラが位置するように配置されていることを意味する。これにより、背面ローラ４１を設けることによって、吸込み口１４から取り込まれる空気の通路が狭められることを抑え、空気調和機の吸込み抵抗が増加することを抑えることができる。
【００７８】
＜フィルタおよび背面ローラの動作について＞
続いて、フィルタ２１および背面ローラ４１の動作について、図９（ａ）などを参照しながら説明する。上述したように、フィルタ２１は、フィルタ駆動ギア２４の回転動作によって移動する。具体的には、フィルタ２１の縦枠５２Ｖに設けられた各ラック５４が、フィルタ駆動ギア２４のギア部２４ｂと噛み合うことで、ギア部２４ｂの回転（例えば、矢印Ｒ２方向の回転）に連動して、フィルタ２１が矢印Ｍ方向に移動する。
【００７９】
また、フィルタの縦枠５２Ｖに設けられた各ラック５４は、ギア部２４ｂと隣り合うように位置する背面ローラ４１のギア４１ａとも噛み合う。そのため、フィルタ２１の移動動作に伴う各ラック５４の移動に連動して、ギア４１ａが回転する。これにより、背面ローラ４１も、フィルタ２１の動き（矢印Ｍ）に連動して、矢印Ｒ３方向に回転する。
【００８０】
なお、図９（ａ）に示す前面ブラシ２３、フィルタ駆動ギア２４および背面ローラ４１の回転方向は、本発明の一例である。そのため、前面ブラシ２３と、フィルタ駆動ギア２４および背面ローラ４１とは、互いに異なる方向に回転してもよい。この場合、ラック５４とギア４１ａとの間に一つギアを追加する、あるいは、ギア４１を追加のモータで駆動することになる。ただし、このようにした場合に、同方向に回転させる場合と比べて、フィルタの搬送により大きな力が必要となる。
【００８１】
また、フィルタ駆動ギア２４の回転方向と背面ローラ４１の回転方向とは、同じ方向とすることが好ましい。これにより、フィルタ２１の裏面と背面ローラ４１上のブラシ４１ｂとの間の摩擦を抑えることができる。
【００８２】
さらに、フィルタ駆動ギア２４のギア部２４ｂの各歯のピッチＰ１と、背面ローラ４１のギア４１ａの各歯のピッチＰ２とは、各ラック５４間の間隔に合わせて、略同一にすることが好ましい（図９（ｂ）参照）。これにより、フィルタ２１の移動速度と、背面ローラ４１の回転速度を合わせることができる。そのため、フィルタ２１上に発生する静電気の量を抑えることができる。
【００８３】
なお、本実施形態では、上述のように、フィルタ２１の縦枠５２Ｖに設けられた各ラック５４は、ギア部２４ｂおよびギア４１ａの両方に噛み合う。したがって、ラック５４の水平方向の幅Ｗ１は、一般的なフィルタ（例えば、図１６に示すフィルタ２２１）のラック２５４の幅Ｗ２と比較して大きくなっている。
【００８４】
なお、本実施形態では、背面ローラ４１の回転は、フィルタ２１のラック５４を介して伝達される駆動モータ２４Ｍの駆動力を用いて行われる。しかし、本発明の態様はこのような構成に限定はされない。例えば、背面ローラ４１に専用の駆動モータを設け、フィルタ２１の移動とは別の駆動系によって背面ローラ４１を回転させてもよい。
【００８５】
以上のように、本実施形態のフィルタ清掃装置２０は、前面ブラシ２３（埃取り部材）に沿うようにフィルタ２１を移動させるフィルタ駆動ギア２４（フィルタ駆動部）と、フィルタ２１を間に挟んで前面ブラシ２３と対向する位置に配置され、フィルタ２１の移動に連動して回転する背面ローラ４１（回転部材）とを備えている。この構成によれば、フィルタ駆動ギア２４（フィルタ駆動部）と背面ローラ４１（回転部材）とを別々の部材で構成することができる。そのため、フィルタ２１を挟んで前面ブラシ２３（埃取り部材）と対向する位置に配置される回転部材の径を小さくすることができる。したがって、フィルタ２１を通して外部の空気を取り込む際の空気調和機の吸込み抵抗の増加を抑えることができる。
【００８６】
〔第２の実施形態〕
本発明の第２の実施形態について、図１２から図１４を参照しながら説明する。第２の実施形態では、空気調和機の室内機１内のフィルタ清掃装置の構成が、第１の実施形態とは異なっている。それ以外の構成については、第１の実施形態と同じ構成が適用できる。そこで、以下では、第２の実施形態にかかるフィルタ清掃装置１２０の構成を中心に説明する。第１の実施形態と同じ構成が適用できる構成部材については、第１の実施形態と同じ符号を付し、その説明を省略する。
【００８７】
図１２には、第２の実施形態にかかる室内機１に備えられているフィルタ清掃装置１２０の一部分を示す。フィルタ清掃装置１２０は、主な構成部材として、ダストボックス２２、前面ブラシ（埃取り部材）２３、フィルタ駆動ギア１２４、背面ローラ（回転部材）１４１、およびフィルタ支持体１２５などを備えている。ダストボックス２２、前面ブラシ（埃取り部材）２３、およびフィルタ支持体１２５（フィルタ支持体２５に対応）については、第１の実施形態と同様の構成が適用できる。
【００８８】
第１の実施形態と同様に、フィルタ駆動ギア１２４は、フィルタ１２１を間に挟んで、前面ブラシ２３と対向する位置に配置されている。図１２に示すように、フィルタ駆動ギア１２４は、シャフト部１２４ａとギア部（回転ギア）１２４ｂとで構成されている。
【００８９】
シャフト部１２４ａは、フィルタ１２１の左右方向（水平方向）に沿って配置されている。シャフト部１２４ａは、駆動モータ２４Ｍによって駆動される。これにより、フィルタ駆動ギア１２４は回転する。
【００９０】
シャフト部１２４ａの両端部には、ギア部１２４ｂが設けられている。駆動モータ２４Ｍによって回転するシャフト部１２４ａに連動して、ギア部１２４ｂも回転する。ギア部１２４ｂは、フィルタ１２１の縦枠１５２Ｖに設けられた複数のラック（突起部）１５４と対向するように配置されている。すなわち、フィルタ１２１の各ラック１５４は、フィルタ駆動ギア１２４のギア部１２４ｂの各歯と噛み合う。これにより、駆動モータ２４Ｍによってフィルタ駆動ギア１２４が回転駆動されると、これに連動して、フィルタ１２１がフィルタ支持体１２５のガイド２５ａに沿って移動する。
【００９１】
背面ローラ１４１は、フィルタ１２１を間に挟んで前面ブラシ２３と対向する位置に配置されている。例えば、図１２に示すように、背面ローラ１４１は、フィルタ駆動ギア１２４のシャフト部１２４ａの前方側の斜め下方に配置されている。背面ローラ１４１は、細長い円筒形状（円柱形状）を有している。背面ローラ１４１は、フィルタ１２１の左右方向（水平方向）に沿って、フィルタ１２１の一端部から他端部に延びるように配置されている。
【００９２】
背面ローラ１４１は、長手方向の略中央部にギア１４１ａを有している。また、第１の実施形態と同様に、背面ローラ１４１の表面には、ブラシ１４１ｂが設けられている。また、第１の実施形態と同様に、背面ローラ１４１は、背面ローラ支持部１４２によってフィルタ支持体１２５に対して取り付けられている。なお、図示はしていないが、ブラシ１４１ｂの内側には、回転軸が設けられている。そして、回転軸は、背面ローラ支持部１４２に対して回転可能に取り付けられている。これにより、背面ローラ１４１は回転する。
【００９３】
第１の実施形態と同様に、背面ローラ１４１は、フィルタ１２１によって回転駆動される。すなわち、背面ローラ１４１は、フィルタ１２１の移動に連動して回転する。具体的には、背面ローラ１４１に設けられたギア１４１ａが、フィルタ１２１に形成された第２のラック１５５と噛み合うことで、フィルタ１２１の移動に連動して背面ローラ１４１が回転する。
【００９４】
続いて、本実施形態のフィルタ清掃装置１２０に備えられているフィルタ１２１の構成について説明する。図１３および図１４には、フィルタ１２１の構成を示す。フィルタ１２１は、メッシュ部１５１と、メッシュ部１５１の周囲を取り囲む枠体（枠部）１５２とで構成されている。
【００９５】
枠体１５２は、縦方向（移動方向に平行な方向）の枠部分である縦枠１５２Ｖと、横方向（移動方向に交差する方向）の枠部分である横枠１５２Ｈとからなる。フィルタ１２１は、フィルタ支持体１２５に着脱可能に支持されている。
【００９６】
メッシュ部１５１は、例えば、ポリエチレンテレフタレートで網目状に形成され、枠体５２は、例えば、ポリプロピレン樹脂などの合成樹脂で形成される。またあるいは、メッシュ部１５１と枠体１５２とは、ポリプロピレン樹脂等の合成樹脂により一体的に成形されてもよい。
【００９７】
また、枠体１５２は、複数のリブ１５３を有している。各リブ１５３は、枠体１５２の内部を縦または横に略等間隔に延びており、これにより、メッシュ部１５１の表面は碁盤目状に区画される。この構成により、フィルタ１２１の強度が高まる。
【００９８】
リブ１５３は、フィルタ１２１の裏面側に設けられている。本実施形態では、縦方向（移動方向に平行な方向）に延びるリブ１５３のうちの中央に位置するリブ１５３Ｃに、複数の第２のラック（突起部）１５５が形成されている。第２のラック１５５は、背面ローラ１４１に設けられたギア１４１ａと対応する位置に配置され、ギア１４１ａと噛み合う。これにより、フィルタ１２１が移動することによって第２のラック１５５と噛み合うギア１４１ａが回転する。
【００９９】
また、枠体１５２の縦枠１５２Ｖの裏面側には、複数のラック（突起部）１５４が形成されている。ラック１５４は、フィルタ１２１の移動を駆動するフィルタ駆動ギア１２４と噛み合う。そして、駆動モータ２４Ｍによってフィルタ駆動ギア１２４が回転駆動されると、これに連動して、フィルタ１２１がフィルタ支持体１２５のガイド２５ａに沿って移動する。すなわち、駆動モータ２４Ｍによってフィルタ駆動ギア１２４が回転駆動されると、フィルタ１２１がフィルタ支持体１２５のガイド２５ａに沿って、室内機１内を前後方向に移動するとともに、室内機１内を上下方向に移動する。
【０１００】
以上のように、本実施形態にかかるフィルタ清掃装置１２０では、フィルタ１２１の中央部において縦方向に延びるリブ１５３Ｃに形成された第２のラック１５５によって、背面ローラ１４１の回転が行われる。この場合、背面ローラ１４１には、１個のギア１４１ａのみを設ければよい。これにより、フィルタ１２１の移動に連動して、背面ローラ１４１を回転させることができる。
【０１０１】
このように、本発明の一態様にかかるフィルタ清掃装置では、第１の実施形態のように、フィルタ２１の縦枠５２Ｖに形成されたラック５４が、背面ローラ４１のギア４１ａと噛み合うことによって、背面ローラ４１を回転させてもよい。また、第２の実施形態のように、フィルタ１２１の縦枠１５２Ｖに形成されたラック１５４とは別に、例えば、フィルタ１２１のリブ１５３に第２のラック１５５を形成してもよい。そして、第２のラック１５５が、背面ローラ１４１のギア１４１ａと噛み合うことによって、背面ローラ１４１を回転させてもよい。第２の実施形態の構成によれば、フィルタ１２１の縦枠１５２Ｖの幅を、第１の実施形態のフィルタ２１の縦枠５２Ｖの幅Ｗ１と比較して、小さくすることができる。
【０１０２】
なお、本実施形態では、背面ローラ１４１のギア１４１ａは、背面ローラ１４１の長手方向の略中央部に１個形成されている。しかし、本発明の態様はこの構成に限定はされない。他の構成例では、背面ローラ１４１のギア１４１ａは、背面ローラ１４１の長手方向の略中央部の両脇に２個以上形成することもできる。この場合、ギア１４１ａは、フィルタ１２１のリブ１５３と対応する位置に形成することが好ましい。これにより、リブ１５３上に、ギア１４１ａと噛み合う第２のラック１５５を形成することができる。
【０１０３】
〔第３の実施形態〕
本発明の第３の実施形態について、図１５および図１６を参照しながら説明する。第３の実施形態では、空気調和機の室内機１内のフィルタ清掃装置の構成が、第１の実施形態とは異なっている。それ以外の構成については、第１の実施形態と同じ構成が適用できる。そこで、以下では、第３の実施形態にかかるフィルタ清掃装置２２０の構成を中心に説明する。第１の実施形態と同じ構成が適用できる構成部材については、第１の実施形態と同じ符号を付し、その説明を省略する。
【０１０４】
図１５には、第３の実施形態にかかる室内機１に備えられているフィルタ清掃装置２２０の一部分を示す。フィルタ清掃装置２２０は、主な構成部材として、ダストボックス２２、前面ブラシ（埃取り部材）２３、フィルタ駆動ギア２２４、背面ローラ（回転部材）２４１、およびフィルタ支持体２２５などを備えている。ダストボックス２２、前面ブラシ（埃取り部材）２３、およびフィルタ支持体２２５（フィルタ支持体２５に対応）については、第１の実施形態と同様の構成が適用できる。
【０１０５】
第１の実施形態と同様に、フィルタ駆動ギア２２４は、フィルタ２２１を間に挟んで、前面ブラシ２３と対向する位置に配置されている。図１５に示すように、フィルタ駆動ギア２２４は、シャフト部２２４ａとギア部（回転ギア）２２４ｂとで構成されている。
【０１０６】
シャフト部２２４ａは、フィルタ２２１の左右方向（水平方向）に沿って配置されている。シャフト部２２４ａは、駆動モータ２４Ｍによって駆動される。これにより、フィルタ駆動ギア２２４は回転する。
【０１０７】
シャフト部２２４ａの両端部には、ギア部２２４ｂが設けられている。駆動モータ２４Ｍによって回転するシャフト部２２４ａに連動して、ギア部２２４ｂも回転する。ギア部２２４ｂは、フィルタ２２１の縦枠２５２Ｖに設けられた複数のラック（突起部）２５４と対向するように配置されている。すなわち、フィルタ２２１の各ラック２５４は、フィルタ駆動ギア２２４のギア部２２４ｂの各歯と噛み合う。これにより、駆動モータ２４Ｍによってフィルタ駆動ギア２２４が回転駆動されると、これに連動して、フィルタ２２１がフィルタ支持体２２５のガイド２５ａに沿って移動する。
【０１０８】
背面ローラ２４１は、フィルタ２２１を間に挟んで前面ブラシ２３と対向する位置に配置されている。例えば、図１５に示すように、背面ローラ２４１は、フィルタ駆動ギア２２４のシャフト部２２４ａの前方側の斜め下方に配置されている。背面ローラ２４１は、細長い円筒形状（円柱形状）を有している。背面ローラ２４１は、フィルタ２２１の左右方向（水平方向）に沿って、フィルタ２２１の一端部から他端部に延びるように配置されている。
【０１０９】
第１の実施形態と同様に、背面ローラ２４１の表面には、ブラシ２４１ｂが設けられている。また、第１の実施形態と同様に、背面ローラ２４１は、背面ローラ支持部２４２によってフィルタ支持体２２５に対して取り付けられている。なお、図示はしていないが、ブラシ２４１ｂの内側には、回転軸が設けられている。そして、回転軸は、背面ローラ支持部２４２に対して回転可能に取り付けられている。これにより、背面ローラ２４１は回転する。
【０１１０】
本実施形態にかかる背面ローラ２４１には、第１および第２の実施形態にかかる背面ローラにおいて設けられているようなギアは設けられていない。本実施形態では、ブラシ２４１ｂとフィルタ２２１の裏面とが接触することによって生じる摩擦力によって、背面ローラ２４１が回転する。これにより、背面ローラ２４１は、フィルタ２２１の移動に連動して回転する。
【０１１１】
続いて、本実施形態のフィルタ清掃装置２２０に備えられているフィルタ２２１の構成について説明する。図１６には、フィルタ２２１の構成を示す。フィルタ２２１は、メッシュ部２５１と、メッシュ部２５１の周囲を取り囲む枠体（枠部）２５２とで構成されている。メッシュ部２５１は、第１の実施形態のメッシュ部５１と同様の構成が適用できる。
【０１１２】
枠体２５２は、縦方向（移動方向に平行な方向）の枠部分である縦枠２５２Ｖと、横方向（移動方向に交差する方向）の枠部分である横枠２５２Ｈとからなる。フィルタ２２１は、フィルタ支持体２２５に着脱可能に支持されている。
【０１１３】
また、枠体２５２は、複数のリブ２５３を有している。リブ２５３は、第１の実施形態のリブ５３と同様の構成が適用できる。
【０１１４】
枠体２５２の縦枠２５２Ｖの裏面側には、複数のラック（突起部）２５４が形成されている。このようなラック２５４は、フィルタ２２１の移動を駆動するフィルタ駆動ギア２２４と噛み合う。そして、駆動モータ２４Ｍによってフィルタ駆動ギア２２４が回転駆動されると、これに連動して、フィルタ２２１がフィルタ支持体２２５のガイド２５ａに沿って移動する。すなわち、駆動モータ２４Ｍによってフィルタ駆動ギア２２４が回転駆動されると、フィルタ２２１がフィルタ支持体２２５のガイド２５ａに沿って、室内機１内を前後方向に移動するとともに、室内機１内を上下方向に移動する。
【０１１５】
なお、本実施形態では、ラック２５４は、フィルタ駆動ギア２２４のギア部２２４ｂのみと噛み合う。そのため、ギア部２４ｂおよびギア４１ａの両方と噛み合う第１の実施形態のフィルタ２１と比較して、ラック２５４の水平方向の幅Ｗ２を小さくすることができる。これにより、空気調和機の吸込み抵抗の増加を抑えることができる。
【０１１６】
以上のように、本実施形態にかかるフィルタ清掃装置２２０では、背面ローラ２４１の表面に設けられたブラシ２４１ｂとフィルタ２２１の裏面とが接触することによって、背面ローラ２４１が回転する。これにより、フィルタ２２１の移動に連動して、背面ローラ２４１を回転させることができる。
【０１１７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【０１１８】
１        ：（空気調和機の）室内機
２０      ：フィルタ清掃装置
２１      ：フィルタ
２２      ：ダストボックス
２３      ：前面ブラシ（埃取り部材）
２４      ：フィルタ駆動ギア（フィルタ駆動部）
２４ｂ    ：ギア部（回転ギア）
４１      ：背面ローラ（回転部材）
４１ａ    ：ギア
４１ｂ    ：（背面ローラの）ブラシ
５４      ：（フィルタの）ラック（突起部）
１２０    ：フィルタ清掃装置
１２１    ：フィルタ
１２４    ：フィルタ駆動ギア（フィルタ駆動部）
１２４ｂ  ：ギア部（回転ギア）
１４１    ：背面ローラ（回転部材）
１５４    ：（フィルタの）ラック（突起部）
１５５    ：（フィルタの）第２のラック（突起部）
２２０    ：フィルタ清掃装置
２２１    ：フィルタ
２２４    ：フィルタ駆動ギア（フィルタ駆動部）
２２４ｂ  ：ギア部（回転ギア）
２４１    ：背面ローラ（回転部材）
【図１】
2018047365.tif 000003
【図２】
2018047365.tif 000004
【図３】
2018047365.tif 000005
【図４】
2018047365.tif 000006
【図５】
2018047365.tif 000007
【図６】
2018047365.tif 000008
【図７】
2018047365.tif 000009
【図８】
2018047365.tif 000010
【図９】
2018047365.tif 000011
【図１０】
2018047365.tif 000012
【図１１】
2018047365.tif 000013
【図１２】
2018047365.tif 000014
【図１３】
2018047365.tif 000015
【図１４】
2018047365.tif 000016
【図１５】
2018047365.tif 000017
【図１６】
2018047365.tif 000018
【国際調査報告】
2018047365.tif 000019
2018047365.tif 000020
2018047365.tif 000021